(57)【要約】【課題】防水性能を損なうことなく、操作基板に設置された電子部品の冷却を効率的に行う加熱調理器を提供するものである。【解決手段】加熱調理器は、被加熱物を加熱する加熱コイルが配設された筐体と、加熱コイルと対向するように筐体の上面に配置されたトッププレートと、トッププレートの周囲を囲むように配置され、加熱コイルを操作するための操作表示部が設けられたトッププレート枠と、筐体内に設けられ、加熱コイルの加熱出力を制御する駆動基板と、操作表示部と対向するように筐体に配設され、加熱コイルの操作入力スイッチが設けられた操作表示駆動部と、を備え、操作表示駆動部は、駆動基板との間で制御信号の送受信を行う操作基板が設置され、操作表示部側が開口する箱状に形成され、周縁に立設されたケース側壁部には複数の切り欠き部が形成されている駆動部収納ケースと、駆動部収納ケースの上面を覆うように配置される防水構造部と、を備えるものである。【選択図】図１
2018018635.tif 000002
【特許請求の範囲】
【請求項１】
被加熱物を加熱する加熱コイルが配設された筐体と、
前記加熱コイルと対向するように前記筐体の上面に配置されたトッププレートと、
前記トッププレートの周囲を囲むように配置され、前記加熱コイルを操作するための操作表示部が設けられたトッププレート枠と、
前記筐体内に設けられ、前記加熱コイルの加熱出力を制御する駆動基板と、
前記操作表示部と対向するように前記筐体に配設され、前記加熱コイルの操作入力スイッチが設けられた操作表示駆動部と、
を備え、
前記操作表示駆動部は、
前記駆動基板との間で制御信号の送受信を行う操作基板が設置され、前記操作表示部側が開口する箱状に形成され、周縁に立設されたケース側壁部には複数の切り欠き部が形成されている駆動部収納ケースと、
前記駆動部収納ケースの上面を覆うように配置される防水構造部と、
を備える加熱調理器。
【請求項２】
前記防水構造部は、シート状である請求項１に記載の加熱調理器。
【請求項３】
前記防水構造部の平面視における面積は、平面視で前記駆動部収納ケースの面積よりも大きいように形成されている請求項１又は２に記載の加熱調理器。
【請求項４】
前記防水構造部は、前記操作表示部側から前記駆動部収納ケース側に向けて周縁が下方に傾斜して傘状に形成されている請求項１〜３のいずれか１項に記載の加熱調理器。
【請求項５】
前記防水構造部は、ゴム系材料からなる請求項１〜４のいずれか１項に記載の加熱調理器。
【請求項６】
前記防水構造部は、プラスチック材料からなる請求項１〜４のいずれか１項に記載の加熱調理器。
【請求項７】
前記防水構造部は、透明または半透明の素材からなる請求項１〜６のいずれか１項に記載の加熱調理器。
【請求項８】
前記防水構造部の前記操作表示部側の一部は、光を拡散する拡散処理が施されている請求項１〜７のいずれか１項に記載の加熱調理器。
【請求項９】
前記操作表示部は、エンボス加工された操作ボタンを有する操作表示シートを備え、
前記トッププレート枠は、前記操作ボタンと対向する位置に開口部を有し、
前記防水構造部は、前記開口部と合致する位置に操作エンボス部を形成している請求項１〜８のいずれか１項に記載の加熱調理器。
【請求項１０】
前記防水構造部は、前記トッププレート枠に貼付されている請求項１〜９のいずれか１項に記載の加熱調理器。
【請求項１１】
前記操作表示駆動部は、
前記操作エンボス部と前記操作基板に設けられたスイッチとの間に介在する突起部を有する操作プレートを更に有し、前記操作プレートは、前記防水構造部と前記駆動部収納ケースとの間に配置される請求項１〜１０のいずれか１項に記載の加熱調理器。
【請求項１２】
前記操作プレートは、前記トッププレート側の操作プレート側壁部に前記操作プレートの長手方向に沿って傾斜して設けられた排水用溝部を有する請求項１１に記載の加熱調理器。
【請求項１３】
前記防水構造部の前記トッププレート側の端部が、前記排水用溝部上に配置されている請求項１２に記載の加熱調理器。
【請求項１４】
前記トッププレートの前記操作表示駆動部側の端部が、前記排水用溝部上に配置されている請求項１２又は１３に記載の加熱調理器。
【発明の詳細な説明】
【技術分野】
【０００１】
本発明は、本体の上面に調理用の操作表示部を備えた加熱調理器に関するものである。
【背景技術】
【０００２】
従来より、調理用の操作入力及び操作表示を行う操作基板に対し、操作基板の上面を覆う防水カバーを配置する加熱調理器が提供されている（例えば、特許文献１）。特許文献１に記載の加熱調理器は、防水カバーを用いることで、トッププレートに貼り付けられた操作表示シートの接着剤の剥がれ部位等から水、湯、鍋から溢れた煮汁等の液体が滴下しても、液体が操作基板へ進入することを阻止することができる。
【先行技術文献】
【特許文献】
【０００３】
【特許文献１】特開２００８−２４１０８７号公報
【発明の概要】
【発明が解決しようとする課題】
【０００４】
しかしながら、特許文献１に記載の加熱調理器は、防水カバーが操作基板の全周囲を立壁で覆っており操作基板を収納するケースは密閉されている。そのため、操作基板上には冷却風が流れず操作基板上の電子部品を冷却することができない。その結果、加熱調理器は、電子部品の寿命を縮める場合があり、また、熱による誤動作を起こす場合がある。
【０００５】
本発明は、上記のような課題を解決する為になされたもので、防水性能を損なうことなく、操作基板に設置された電子部品の冷却を効率的に行う加熱調理器の提供を目的とする。
【課題を解決するための手段】
【０００６】
本発明に係る加熱調理器は、被加熱物を加熱する加熱コイルが配設された筐体と、加熱コイルと対向するように筐体の上面に配置されたトッププレートと、トッププレートの周囲を囲むように配置され、加熱コイルを操作するための操作表示部が設けられたトッププレート枠と、筐体内に設けられ、加熱コイルの加熱出力を制御する駆動基板と、操作表示部と対向するように筐体に配設され、加熱コイルの操作入力スイッチが設けられた操作表示駆動部と、を備え、操作表示駆動部は、駆動基板との間で制御信号の送受信を行う操作基板が設置され、操作表示部側が開口する箱状に形成され、周縁に立設されたケース側壁部には複数の切り欠き部が形成されている駆動部収納ケースと、駆動部収納ケースの上面を覆うように配置される防水構造部と、を備えるものである。
【発明の効果】
【０００７】
本発明による加熱調理器によれば、周縁に立設された側壁に複数の切り欠き部が形成されている駆動部収納ケースと、駆動部収納ケースの上面を覆うように配置される防水構造部とを備えている。その結果、防水性能を損なうことなく、操作基板に設置された電子部品の放熱を効率的に行うことができる。
【図面の簡単な説明】
【０００８】
【図１】本発明の実施の形態１に係る加熱調理器の外観構造の一例を示す概略的な斜視図である。
【図２】本発明の実施の形態１に係る加熱調理器の内部構造の一例を示す図１におけるＡ−Ａ線断面による側面視における概略図である。
【図３】本発明の実施の形態１に係る加熱調理器の内部構造を示す図２におけるＥ部の拡大図である。
【図４】本発明の実施の形態１に係る加熱調理器の操作表示駆動部の分解斜視図である。
【図５】本発明の実施の形態２に係る加熱調理器の内部構造を示す図２におけるＥ部の拡大図である。
【図６】本発明の実施の形態２に係る加熱調理器の操作表示駆動部の斜視図である。
【図７】図６の操作表示駆動部におけるＢ−Ｂ線断面図である。
【図８】本発明の実施の形態２に係る加熱調理器の操作表示駆動部の変形例の斜視図である。
【発明を実施するための形態】
【０００９】
以下、本発明における加熱調理器１００について、図面を用いて詳細に説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１０】
実施の形態１．
図１は、本発明の実施の形態１に係る加熱調理器の外観構造の一例を示す概略的な斜視図である。図２は、本発明の実施の形態１に係る加熱調理器の内部構造の一例を示す図１におけるＡ−Ａ線断面による側面視における概略図である。図１及び図２を参照して加熱調理器１００の各部の構成を説明する。なお、図１において示すＸ軸は、Ｘ１側を左、Ｘ２側を右として加熱調理器１００の左右の幅方向を示す。また、Ｙ軸は、Ｙ１側を前、Ｙ２側を後として加熱調理器１００の前後の奥行き方向を示す。さらに、Ｚ軸は、Ｚ１側を上、Ｚ２側を下として加熱調理器１００の上下の高さ方向を示すものである。
【００１１】
加熱調理器１００は、被加熱物を誘導加熱する加熱コイル７ａ、７ｂ及び７ｃが配設された筐体１と、加熱コイル７ａ等と対向するように筐体１の上面に配置されたトッププレート２と、トッププレート２の周囲を囲むように配置され、加熱コイル７ａ等を操作するための操作表示部４が設けられたトッププレート枠３と、を備える。また、加熱調理器１００は、筐体１内に設けられ、加熱コイル７ａ等の加熱出力を制御する駆動基板１４と、操作表示部４と対向するように筐体１に配設され、加熱コイル７ａ等の操作入力スイッチが設けられた操作表示駆動部１０を備える。
【００１２】
筐体１は、前後の側壁として外郭を形成する本体前側壁部８ａ及び本体後側壁部８ｃと、左右の側壁として外郭を形成する本体左側壁部８ｂ及び本体右側壁部８ｄと、底部として外郭を形成する本体底板８ｅとで構成され、上面を開口する箱状に形成されている。また、図１において筐体１は、本体後側壁部８ｃと本体底板８ｅとを接続する本体後部傾斜壁部８ｆで側壁の一部を構成している。
【００１３】
図１に示すように、筐体１の外郭の外周を構成する部材として、本体前側壁部８ａの上端部には、本体前側壁部８ａの上端から筐体１の外部方向（Ｙ１側）に向かって略水平に突出した本体前係止壁部１１ａが設けられている。同様に、本体左側壁部８ｂ、本体後側壁部８ｃ及び本体右側壁部８ｄの上端部から筐体１の外部方向（Ｘ１側、Ｙ２側、Ｘ２側）に向かって本体左係止壁部１１ｂ、本体後係止壁部１１ｃ、及び、本体右係止壁部１１ｄが設けられている。筐体１は、図２に示すように、本体前係止壁部１１ａ及び本体後係止壁部１１ｃが、キッチン天板５０の上に設置され、同様に図１に記載の本体左係止壁部１１ｂ及び本体右係止壁部１１ｄがキッチン天板５０の上に設置されて、キッチン天板５０に懸吊される。
【００１４】
筐体１は、筐体１の内部において、本体前側壁部８ａ、本体左側壁部８ｂ、本体後側壁部８ｃ、及び本体右側壁部８ｄの上端と下端との間（Ｚ軸）の位置に、筐体１の内部空間を上下に仕切る本体中間底板８ｇを設けている。
【００１５】
図２に示すように、筐体１は、本体中間底板８ｇによって内部を上部空間１７と下部空間１８とに仕切られており、本体中間底板８ｇの本体前側壁部８ａ側には、上部空間１７と下部空間１８とを連通する通風孔１２が形成されている。通風孔１２は、例えば、操作機器やグリル等の設置位置等の加熱調理器１００の構成によって本体中間底板８ｇの任意の位置に形成される。上部空間１７の内部には本体後側壁部８ｃと対向する仕切り板８ｈが設けられており、仕切り板８ｈには、筐体１の上部空間１７と排気口９とを連通する排気用通気孔８ｉが形成されている。排気口９は、加熱調理器１００内の加熱された空気を加熱調理器１００の外部に排出するための開口部である。
【００１６】
筐体１の上部空間１７には、トッププレート２に載置される鍋などの被加熱物を誘導加熱する加熱コイル７ａ、７ｂ及び７ｃが収容されている。なお、本発明の実施の形態１に係る加熱調理器１００では、３つの加熱コイルが上部空間１７に配設されているが、加熱コイルの配設数は、１つ又は複数であってもよい。また、本発明の実施の形態１に係る加熱調理器１００では、加熱手段として加熱コイルを用いているが、いずれか１つ又は複数の加熱コイルを、例えば電熱線ヒーター等の他の加熱手段に変更してもよい。
【００１７】
筐体１の下部空間１８には、駆動基板１４が収納されている。駆動基板１４は、操作表示部４の下方に配設される操作表示駆動部１０に入力された操作信号にしたがって、加熱コイル７ａ、７ｂ及び７ｃ等の加熱及び停止等の出力制御を行う。この加熱出力の状況は、操作表示駆動部１０に設けられた液晶表示等を用いて操作表示部４に表示される。
【００１８】
筐体１の下部空間１８において、駆動基板１４と対向するように冷却ファン１５が設けられている。冷却ファン１５は、駆動基板１４、操作表示駆動部１０、及び加熱コイル７ａ等を冷却するための冷却風を発生させるものである。そして、冷却ファン１５の駆動により外部の空気を下部空間１８へ流入させるために、筐体１の本体後側壁部８ｃには、本体吸気口１６ａが形成され、同様に本体後部傾斜壁部８ｆには、本体吸気口１６ｂが形成されている。本体吸気口１６ａ及び本体吸気口１６ｂは、筐体１の周壁を構成する板金に形成された複数の開口部によって形成されている。
【００１９】
図１に示すように、筐体１の上面には、加熱コイル７ａと対向するようにトッププレート２が配置されている。トッププレート２は、全体が耐熱強化ガラスや結晶化ガラス等の材料で構成され、トッププレート枠３の開口部の形状に合わせて長方形又は正方形等の矩形状に形成されている。トッププレート２の上には鍋等の被加熱物が載置される。トッププレート２には、被加熱物を載置する目安としての位置を示す円形の案内マーク２ａ、２ｂ、２ｃが、それぞれ印刷などの方法で表示されている。
【００２０】
図１に示すように、トッププレート２の周囲を囲むようにトッププレート枠３が配置される。トッププレート枠３の外周縁は、本体前係止壁部１１ａ、本体左係止壁部１１ｂ、本体後係止壁部１１ｃ、及び本体右係止壁部１１ｄで構成される筐体１の外周に沿って配置される。トッププレート枠３は、全体が非磁性ステンレス板又はアルミ板などの金属製板によって額縁状に形成されている。トッププレート２の外周部とトッププレート枠３の開口部との間には、ゴム製パッキンやシール材（図示せず）を介在させており、両者が水密状態に固定されている。このように、トッププレート枠３とトッププレート２との対面部分に形成される隙間はゴム製パッキンやシール材（図示せず）により塞がれているため、トッププレート２の上面から筐体１の内部に水滴などが浸入しないように構成されている。
【００２１】
図１に示すように、トッププレート枠３の後側上面部には、筐体１の後側上面部に設けられた排気口９の上部に位置する排気用開口部６が形成されている。トッププレート枠３の前側上面部には、例えば、加熱コイル７ａ、７ｂ及び７ｃの加熱量等を操作する複数の操作ボタン５を備えた操作表示部４が設けられている。
【００２２】
図３は、本発明の実施の形態１に係る加熱調理器の内部構造を示す図２におけるＥ部の拡大図である。操作表示部４は、使用者による操作を受け付けるとともに加熱条件や動作状態を表示する。操作表示部４は、操作表示シート４ａをトッププレート枠３に貼り付けることで形成されている。操作表示シート４ａは、トッププレート枠３の前面に形成された凹状の表示シート貼付部４ｂに密着するように接着剤で貼り付けられる。操作表示シート４ａには、図１に示すように、トッププレート枠３の幅方向（Ｘ軸方向）に沿って複数個のエンボス加工された操作ボタン５が適宜間隔を保持して凸状に形成されている。トッププレート枠３は、操作ボタン５と対向する位置に開口部３ａを有している。図２又は図３に示すように、操作表示部４の下方には、操作基板２２が収納された操作表示駆動部１０が操作表示部４と対向するように筐体１の本体前係止壁部１１ａ上に配設されている。使用者が、操作表示部４の操作ボタン５を押し下げることで操作表示駆動部１０に収納された操作基板２２に操作信号を入力することができる。
【００２３】
図４は、本発明の実施の形態１に係る加熱調理器の操作表示駆動部の分解斜視図である。図３及び図４を用いて、操作表示駆動部１０について説明する。操作表示駆動部１０は、操作基板２２が設置され、操作表示部４側が開口する箱状に形成され、周縁に立設されたケース側壁部２１ａには複数の切り欠き部３１が形成されている駆動部収納ケース２１と、駆動部収納ケース２１の上面を覆うように配置される防水構造部３０と、を備える。
【００２４】
駆動部収納ケース２１は、操作基板２２が設置されるケースである。また、駆動部収納ケース２１は、平面視で矩形状に形成されたケース底板２１ｓと、ケース底板２１ｓの周縁から立設するケース側壁部２１ａとから構成される合成樹脂からなるケースである。ケース側壁部２１ａには、１又は複数の切り欠き部３１が形成され、ケース側壁部２１ａは複数の柱が立設する状態に形成されている。なお、図４において、ケース底板２１ｓの形状は、平面視で矩形状であるが、ケース底板２１ｓの形状は、楕円形状、円形状、多角形状等他の形状であってもよい。
【００２５】
操作基板２２の縁部にはコネクタ２４が設けられ、コネクタ２４に配線部材が組み込まれる。それらの配線部材は、切り欠き部３１を介して駆動部収納ケース２１の底部から下側に出され、加熱コイル７ａ等の各種部品に配線される。
【００２６】
操作基板２２は、駆動基板１４との間で制御信号の送受信を行う。操作基板２２には、液晶表示部２３が設けられている。また、操作基板２２には、操作表示シート４ａの操作ボタン５と対向した位置に加熱コイル７ａ等を操作するための操作入力スイッチ２５が設けられており、操作ボタン５の押し下げ力はこの操作入力スイッチ２５を介して操作基板２２に伝達される。なお、図４に示すように、駆動部収納ケース２１には、左右二個に分割した操作基板２２が収納されているが、操作基板２２は、一枚の基板であってもよく、複数に分割されていてもよい。また、操作入力スイッチ２５の数は任意である。さらに、操作基板２２には、例えば駆動状態を表す、ＬＥＤ２９等の発光部品が設置されていてもよい。なお、操作入力スイッチ２５は、加熱コイル７ａ等の操作入力だけではなく、例えばモードの切り替え、時刻の設定等、各種用途に使用しても良い。
【００２７】
防水構造部３０は、液体が操作表示駆動部１０内へ進入することを阻止するものである。防水構造部３０は、シート状に形成され、柔軟性のあるゴム系材料を用いて矩形状に形成されている。なお、プラスチック材料を用いて形成してもよい。また、防水構造部３０の平面視における面積は、平面視で駆動部収納ケース２１の面積よりも大きいように形成されている。さらに、防水構造部３０は、操作表示部４側から駆動部収納ケース２１側に向けて周縁が下方に傾斜して傘状に形成されている。防水構造部３０は、接着剤或いは両面テープ等が貼り付きやすいものが望ましく、接着剤３０ｆ等を用いてトッププレート枠３の内面側に貼り付けて固定される。
【００２８】
防水構造部３０は、液晶表示部２３の表示、あるいは操作基板２２上に設置されたＬＥＤ２９等の光が透過しやすいように透明または半透明の素材であることが望ましい。防水構造部３０の操作表示部４側の一部は、出射光を均一にして粒状感を抑制するために光を拡散する拡散処理が施されている。拡散処理としては、例えば、しぼ加工、切り込み加工、サンドブラスト処理、あるいは、チタン等の光拡散粒子を有する光拡散部材を膜状に塗布する方法等がある。
【００２９】
防水構造部３０には操作表示シート４ａの操作ボタン５と対向するトッププレート枠３の開口部３ａに合致するように操作エンボス部３０ｕが設けられている。操作エンボス部３０ｕは、開口部３ａに合致するように形成されているため防水構造部３０をトッププレート枠３に固定する際の位置決めにも使用される。図３に示すように、操作エンボス部３０ｕは、操作入力スイッチ２５の上部に位置するように配置されている。
【００３０】
次に、図１及び図２を用いて加熱調理器１００の動作と加熱調理器１００内を流れる冷却風の流れについて説明する。加熱コイル７ａ等が設けられた加熱口で加熱調理を行う場合、使用者がトッププレート２の案内マーク２ａ等の上に鍋等の被加熱物を載置して操作表示部４に加熱開始の指示を入力する。操作表示部４に加熱開始の指示をすると、駆動基板１４から加熱コイル７ａ等に高周波電力が供給され、トッププレート２の上に載置された被加熱物が誘導加熱される。また、冷却ファン１５が動作を開始する。
【００３１】
冷却ファン１５が動作すると、筐体１内の下部空間１８の本体後側壁部８ｃ側が負圧となり、筐体１の外側の空気が、本体吸気口１６ａ及び１６ｂから筐体１の内部へと吸い込まれる。筐体１の内部へと吸い込まれた空気は、冷却ファン１５によって筐体１内の下部空間１８の本体前側壁部８ａ側に送風される。本体前側壁部８ａ側に送風される冷却風は、駆動基板１４等の下部空間１８に設けられた機器の周囲を通過してこれらの機器を冷却して通風孔１２に向かう。
【００３２】
通風孔１２に向かう冷却風は、上方に向かって流れ、通風孔１２を介して下部空間１８から上部空間１７に吹出される。上部空間１７に吹出された冷却風は、上部空間１７に配置されている加熱コイル７ａ、７ｂ、７ｃ等に吹き付けられて加熱コイル７ａ等の周囲を通過する。加熱コイル７ａ等は、加熱コイル７ａ等の周囲を通過する冷却風によって冷却される。加熱コイル７ａ等の周囲を通過する冷却風は、仕切り板８ｈに形成された排気用通気孔８ｉを通過し排気口９から加熱調理器１００の外部へと流出する。この冷却風は、あわせて操作表示駆動部１０を冷却し及び操作表示駆動部１０から上部空間１７に放熱された熱を排気口９から加熱調理器１００の外部へと放出する。
【００３３】
以上のように、本発明の実施の形態１に係る加熱調理器１００は、操作表示駆動部１０を構成する駆動部収納ケース２１の上面を覆うように防水構造部３０を配置したので、例えば経年劣化等による接着不良により開口部３ａ又はトッププレート２及びトッププレート枠３との間を通って水や湯、鍋から溢れた煮汁等の液体が操作表示駆動部１０側に滴下しても防水構造部３０によって操作表示駆動部１０内への浸入が阻止される。また、ケース側壁部２１ａは、１又は複数の切り欠き部３１が形成されているために操作表示駆動部１０内に熱が篭ることがなく、操作基板２２に設置されている電子部品等の放熱性がよくなる。その結果、防水性能を損なうことなく、操作基板２２の放熱を効率的に行うことができ、駆動部収納ケース２１内に組み込まれた操作基板２２、液晶表示部２３等の動作不良等を防止することができる。
【００３４】
また、防水構造部３０にゴム系材料を用いることで、高価なシリコンを使用する必要はなくコストを削減することができる。また、防水構造部３０にプラスチック材料を用いることで、高価なシリコンを使用する必要はなくコストを削減することができる。
【００３５】
また、防水構造部３０を透明または半透明にすることにより、例えば操作基板２２に配置された液晶表示部２３の表示、あるいは、ＬＥＤ２９等の表示灯を遮ることなく操作表示シート４ａの操作表示部４に表示することができ、従来と同様の各種電子表示部品を用いてそのまま使用することができる。
【００３６】
また、防水構造部３０に光を拡散する拡散処理が施されることで、操作表示シート４ａの表示部分の拡散印刷を省略することができ、コストの削減を図ることができる。
【００３７】
実施の形態２．
図５は、本発明の実施の形態２に係る加熱調理器の内部構造を示す図２におけるＥ部の拡大図である。図６は、本発明の実施の形態２に係る加熱調理器の操作表示駆動部の斜視図である。図１〜図４の加熱料理器と同一の構成を有する部位には同一の符号を付してその説明を省略する。
【００３８】
本発明の実施の形態２に係る加熱調理器１００に収納される操作表示駆動部１０ａでは、防水構造部３０と駆動部収納ケース２１との間に設置された操作プレート２６を備えている。
【００３９】
操作プレート２６は、平面視で矩形状の枠体を構成する操作プレート側壁部２６ａと、操作プレート側壁部２６ａを繋ぐ操作プレート梁部２６ｂとで構成された合成樹脂からなる骨組み構造の矩形状のプレートである。操作プレート側壁部２６ａの駆動部収納ケース２１側の下端部（Ｚ２側）には矩形状の切り欠き部３２が形成されている。ただし、トッププレート２側の操作プレート側壁部２６ａには後述する排水用溝部２８が設けられるため切り欠き部３２は形成されていない。操作プレート２６は、操作プレート側壁部２６ａの内周面の一部又は全部が、駆動部収納ケース２１のケース側壁部２１ａの外周面に接するように覆うことで、操作プレート２６と駆動部収納ケース２１とが組み合わされる。操作プレート２６と駆動部収納ケース２１とが組み合わさった側壁には切り欠き部３１と切り欠き部３２により開口部が形成される。
【００４０】
操作プレート側壁部２６ａ及び操作プレート梁部２６ｂの操作表示部４側の上面には凸状に突出したリブ部２６ｅが形成されている。図５に示すように、リブ部２６ｅは、下方から防水構造部３０を保持している。なお、操作プレート２６は、放熱を考慮すると、骨組み構造で構成されることが望ましいが、操作プレート側壁部２６ａと操作プレート梁部２６ｂとの間、各操作プレート梁部２６ｂ間等を板状部材で接続してもよい。
【００４１】
図５に示すように、操作プレート２６には、操作エンボス部３０ｕと操作入力スイッチ２５との間に介在する突起部２７が設けられている。突起部２７は、天面部２７ａが操作エンボス部３０ｕ側に位置し、底面部２７ｂが操作入力スイッチ２５側に位置する。突起部２７は、図６に示すように、ヒンジ部２７ｅで操作プレート２６と接続しヒンジ部２７ｅの弾性を利用して押圧により上下方向（Ｚ軸）に移動することができる。したがって、使用者が、操作表示部４の操作ボタン５を押すことによって、操作エンボス部３０ｕ、突起部２７を介して操作入力スイッチ２５を押すことができる。なお、図７では、ヒンジ部２７ｅの弾性を利用して移動する方法を記載しているが、例えば、バネ等の弾性部材を用いることにより突起部２７の上下動を行うことができるようにしてもよい。
【００４２】
図７は、図６の操作表示駆動部におけるＢ−Ｂ線断面図である。操作プレート２６は、トッププレート２側の操作プレート側壁部２６ａに操作プレート２６の長手方向（Ｘ軸方向）に沿って傾斜して設けられた排水用溝部２８を有する。排水用溝部２８は、開口部３ａ又はトッププレート２及びトッププレート枠３との間を通って浸入した液体を駆動基板１４に影響がない場所に導くものである。排水用溝部２８は、トッププレート２側の操作プレート側壁部２６ａと、排水用溝部２８の底板となる排水用溝部底板２８ｅと、及び操作プレート側壁部２６ａと対向する排水用溝部側壁２８ｆとから形成される角型の樋である。排水用溝部２８は、図５に示すように、溝の上部の開口部が、トッププレート２の端部２ｅ及び防水構造部３０の端部３０ｅの下方の位置になるように配置されるのが望ましい。浸入した液体の一部は、トッププレート２の端部２ｅ及び防水構造部３０の端部３０ｅから下方に落下するためである。排水用溝部２８は、駆動基板１４等の電装部品が配置されている側の第１端部２８ａがトッププレート２の端部２ｅと近く、駆動基板１４等の電装部品が配置されていない側の第２端部２８ｂが端部２ｅと離れるように高低差がつけられて傾斜して設けられている。また、駆動基板１４等の電装部品が配置されている側の第１端部２８ａは、液体が跳ねたり漏れたりしないように水抑止壁２８ｃが設けられていることが望ましい。なお、図７では、排水用溝部２８は、角型の樋として記載しているが、丸型、あるいは断面多角形状の樋であってもよい。また、水抑止壁２８ｃは形成しなくてもよい。
【００４３】
本発明の実施の形態２に係る加熱調理器の操作表示駆動部１０ａは、トッププレート２側の操作プレート側壁部２６ａに操作プレート２６の長手方向（Ｘ軸方向）に沿って傾斜して設けられた排水用溝部２８を有する。そのため、トッププレート２とトッププレート枠３の例えば経年劣化等による接着不良により液体が侵入したとしても、トッププレート２の端部２ｅの下方に排水用溝部２８配置されているため電装部品等のないところに液体を流すことができる。また、操作表示シート４ａとトッププレート枠３との接着はがれ及びトッププレート枠３と防水構造部３０との接着はがれ等に対して、防水構造部３０の端部３０ｅの下方に排水用溝部２８配置されているため電装部品等のないところに液体を流すことができる。その結果、たとえ、筐体１内に液体が浸入しても駆動基板１４等の電装部品を保護することができる。
【００４４】
図８は、本発明の実施の形態２に係る加熱調理器の操作表示駆動部の変形例の斜視図である。図８において、ケース側壁部２１ａ及び操作プレート側壁部２６ａは、トッププレート２と反対側の前面部（Ｙ１）側に切り欠き部及び切り欠き部３２が形成されていない。ケース側壁部２１ａ及び操作プレート側壁部２６ａは、放熱を考慮するよりも例えば構造的強度を高くする必要がある場合、あるいは防水機能を強化した場合などには、このように側壁の切り欠き部を少なくしてもよい。
【００４５】
なお、本発明の実施の形態は、上記実施の形態１〜２に限定されない。たとえば、冷却ファン１５から発生した筐体１を流れる冷却風を操作表示駆動部１０に送るための導風路としてダクトを設置してもよい。また、防水構造部３０は、柔軟性のあるゴム系材料を用いるとしているが、合成樹脂、シリコン等を素材に用いてもよい。また、防水構造部３０は、矩形状に形成されているが、平面視で駆動部収納ケースの上部を覆い、駆動部収納ケース２１の面積より大きいものであれば、例えば、円形状、楕円形状、多角形状等他の形状であってもよい。同様に、操作プレート２６は、矩形状に形成されているが、駆動部収納ケース２１を覆い、防水構造部３０の平面視の面積が小さいものであれば、例えば、円形状、楕円形状、多角形状等他の形状であってもよい。また、トッププレート２側の操作プレート側壁部２６ａには後述する排水用溝部２８が設けられるため切り欠き部３２は形成されていないが、操作基板２２等の放熱を考慮して排水用溝部２８の排水に影響を与えない位置に開口部が形成されていてもよい。
【符号の説明】
【００４６】
１  筐体、２  トッププレート、２ａ  案内マーク、２ｂ  案内マーク、２ｃ  案内マーク、２ｅ  端部、３  トッププレート枠、３ａ  開口部、４  操作表示部、４ａ  操作表示シート、４ｂ  表示シート貼付部、５  操作ボタン、６  排気用開口部、７ａ  加熱コイル、７ｂ  加熱コイル、７ｃ  加熱コイル、８ａ  本体前側壁部、８ｂ  本体左側壁部、８ｃ  本体後側壁部、８ｄ  本体右側壁部、８ｅ  本体底板、８ｆ  本体後部傾斜壁部、８ｇ  本体中間底板、８ｈ  仕切り板、８ｉ  排気用通気孔、９  排気口、１０  操作表示駆動部、１０ａ  操作表示駆動部、１０ｂ  操作表示駆動部、１１ａ  本体前係止壁部、１１ｂ  本体左係止壁部、１１ｃ  本体後係止壁部、１１ｄ  本体右係止壁部、１２  通風孔、１４  駆動基板、１５  冷却ファン、１６ａ  本体吸気口、１６ｂ  本体吸気口、１７  上部空間、１８  下部空間、２０  突起部、２１  駆動部収納ケース、２１ａ  ケース側壁部、２１ｓ  ケース底板、２２  操作基板、２３  液晶表示部、２４  コネクタ、２５  操作入力スイッチ、２６  操作プレート、２６ａ  操作プレート側壁部、２６ｂ  操作プレート梁部、２６ｅ  リブ部、２７  突起部、２７ａ  天面部、２７ｂ  底面部、２７ｅ  ヒンジ部、２８  排水用溝部、２８ａ  第１端部、２８ｂ  第２端部、２８ｃ  水抑止壁、２８ｅ  排水用溝部底板、２８ｆ  排水用溝部側壁、２９  ＬＥＤ、３０  防水構造部、３０ｅ  端部、３０ｆ  接着剤、３０ｕ  操作エンボス部、３１  切り欠き部、３２  切り欠き部、５０  キッチン天板、１００  加熱調理器。
【図１】
2018018635.tif 000003
【図２】
2018018635.tif 000004
【図３】
2018018635.tif 000005
【図４】
2018018635.tif 000006
【図５】
2018018635.tif 000007
【図６】
2018018635.tif 000008
【図７】
2018018635.tif 000009
【図８】
2018018635.tif 000010